(57)【要約】【課題】容易にシートを張設することができるパネルを提供する。【解決手段】設置面に設置されて表面側にシートが張設されるパネルであって、吸音性を有する矩形板状の吸音体２と、吸音性を有する矩形シート状の吸音シート３と、四辺部を有して内側に開口部Ｃが形成された矩形枠体４と、矩形枠体４の辺方向に延在して、矩形枠体４の外側面との間に吸音シート３を挟み込むシート固定部材５と、を備える。【選択図】図２
2014201985.tif 000002
【特許請求の範囲】
【請求項１】
設置面に設置されて表面側にシートが張設されるパネルであって、
四辺部を有して内側に開口部が形成された矩形枠体と、
前記矩形枠体の辺方向に延在して、前記矩形枠体の外側面との間に前記シートを挟み込むシート固定部材と、
を備えることを特徴とする、
パネル。
【請求項２】
前記矩形枠体の外側面に、前記矩形枠体の辺方向に沿って窪む溝部が形成されており、
前記シート固定部材は、前記溝部に挿入されて前記シートを挟み込むことを特徴とする、
請求項１に記載のパネル。
【請求項３】
前記矩形枠体の外縁部に、最も前記矩形枠体の表面側に飛び出して前記シートに当接されるシート当接部が形成されていることを特徴とする、
請求項１又は２に記載のパネル。
【請求項４】
前記矩形枠体の外側面は、表面側が裏面側よりも外側に飛び出していることを特徴とする、
請求項１〜３の何れか一項に記載のパネル。
【発明の詳細な説明】
【技術分野】
【０００１】
この発明は、建物の内壁又は天井面等の設置面に設置されるパネルに関する。
【背景技術】
【０００２】
特許文献１等に記載されたように、建物の室内における音響特性等を制御するために、パネルを内壁又は天井面等の設置面に設置することが知られている。特許文献１に記載されたパネルは、内側に開口部が形成された矩形枠体に、矩形板状の吸音体を充填し、更に、矩形枠体の表面に内装材となるシートを張設したものである。
【先行技術文献】
【特許文献】
【０００３】
【特許文献１】特開２００３−２２７２１８号公報
【発明の概要】
【発明が解決しようとする課題】
【０００４】
しかしながら、特許文献１に記載されたようなパネルは、矩形枠体の端部において重ねられた一対の係止板の間にシートを順次押し込んでいくことで、シートを矩形枠体に張設する構造となっている。このため、シートをシワなく矩形枠体に張設するためには、シートの押し込み位置や押し込み量を調節してシートの全周において均一な張力を付与する必要があるため、極めて熟練した技術が必要であった。特に、非伸縮性のシートを用いる場合は、この問題が顕著に現れる。
【０００５】
そこで、本発明は、容易にシートを張設することができるパネルを提供することを目的とする。
【課題を解決するための手段】
【０００６】
本発明に係るパネルは、設置面に設置されて表面側にシートが張設されるパネルであって、四辺部を有して内側に開口部が形成された矩形枠体と、矩形枠体の辺方向に延在して、矩形枠体の外側面との間にシートを挟み込むシート固定部材と、を備えることを特徴とする。
【０００７】
本発明に係るパネルによれば、矩形枠体の表面側に張設されるシートを、矩形枠体の辺方向に延在するシート固定部材により挟み込むため、矩形枠体の各辺に対して均一な張力でシートを張設することができる。このため、矩形枠体に非伸縮性のシートを張設する場合も、非伸縮性のシートにシワが発生するのを抑制することができる。
【０００８】
この場合、矩形枠体の外側面に、矩形枠体の辺方向に沿って窪む溝部が形成されており、シート固定部材は、溝部に挿入されてシートを挟み込むものとすることができる。このように、矩形枠体の外側面に形成された溝部にシート固定部材を挿入することで、シート固定部材を高精度に位置決めすることができる。しかも、シートは、溝部に挿入されたシート固定部材を回り込むように挟み込まれるため、シートの固定強度も向上することができる。
【０００９】
また、矩形枠体の外縁部に、最も矩形枠体の表面側に飛び出してシートに当接されるシート当接部が形成されているものとすることができる。矩形枠体が歪むと、矩形枠体の角がシートに押し付けられることで、シートに筋が発生するが、このように、最も矩形枠体の表面側に飛び出してシートに当接されるシート当接部を矩形枠体の外縁部に形成することで、このような筋を目立ちにくくすることができる。
【００１０】
また、矩形枠体の外側面は、表面側が裏面側よりも外側に飛び出しているものとすることができる。このように、矩形枠体の外側面の表面側を裏面側よりも外側に飛び出させることで、パネルを目透し張りする際に、目地部材の一部を、矩形枠体の外側面の表面側で覆うことができる。これにより、目地の美観を向上させることができる。
【発明の効果】
【００１１】
本発明によれば、容易にシートを張設することができる。
【図面の簡単な説明】
【００１２】
【図１】実施形態に係る音響パネルを設置面に設置した状態を示す平面図である。
【図２】図１に示すＩＩ−ＩＩ線における断面図である。
【図３】矩形枠体を示す平面図である。
【図４】図３に示すＩＶ−ＩＶ線における断面図である。
【図５】シート固定部材を示す斜視図である。
【図６】音響パネルの組み立て方を説明するための図である。
【図７】図２に対応する音響パネルの断面図である。
【図８】図４に対応する矩形枠体の断面図である。
【図９】図２に対応する音響パネルの断面図である。
【図１０】図４に対応する矩形枠体の断面図である。
【発明を実施するための形態】
【００１３】
以下、図面を参照して、本発明に係るパネルの好適な実施形態について詳細に説明する。本実施形態は、本発明に係るパネルを、音響パネルに適用したものである。なお、全図中、同一または相当部分には同一符号を付し、重複する説明を省略する。
【００１４】
［第１の実施形態］
図１は、実施形態に係る音響パネルを設置面に設置した状態を示す平面図である。図２は、図１に示すＩＩ−ＩＩ線における断面図である。図１及び図２に示すように、本実施形態に係る音響パネル１は、室内空間の防音特性を調整するためのパネルであって、下地材等の設置面Ａに設置するとともに、設置面Ａに固定される目地部材Ｂを用いて目透し張りするためのパネルである。
【００１５】
この音響パネル１は、吸音体２と、吸音シート３と、矩形枠体４と、シート固定部材５と、を備えている。
【００１６】
吸音体２は、吸音性を有する矩形板状の部材である。吸音体２としては、一般に吸音体として用いられている周知の物を用いることができ、例えば、グラスウールやウレタンを用いることができる。
【００１７】
吸音シート３は、吸音性を有する矩形シート状の部材である。吸音シート３は、伸縮性を有するものであってもよく、伸縮性を有しないもの（非伸縮性のもの）であってもよい。吸音シート３としては、一般に吸音シートとして用いられている周知の物を用いることができる。
【００１８】
矩形枠体４は、設置面に設置されるとともに、表面側に吸音シート３が張設される枠体である。ここで、矩形枠体４の裏面（裏面側）とは、設置面Ａに向けられる面をいい、矩形枠体４の表面（表面側）とは、設置面Ａとは逆側の設置空間側に向けられる面をいう。
【００１９】
図３は、矩形枠体を示す平面図である。図４は、図３に示すＩＶ−ＩＶ線における断面図である。図１〜図４に示すように、矩形枠体４は、四辺部を有して内側に開口部Ｃが形成された枠状に形成されている。具体的に説明すると、矩形枠体４は、縦枠部４ａと、縦枠部４ｂと、横枠部４ｃと、横枠部４ｄとを備えている。縦枠部４ａ、縦枠部４ｂ、横枠部４ｃ及び横枠部４ｄは、それぞれ直線状に延びており、互いに同一の断面に形成されている。そして、縦枠部４ａと縦枠部４ｂとが対向配置されるとともに、横枠部４ｃと横枠部４ｄとが対向配置されており、縦枠部４ａの両端が横枠部４ｃ及び横枠部４ｄの一端に接続されるとともに、縦枠部４ｂの両端が横枠部４ｃ及び横枠部４ｄの他端に接続されている。このため、縦枠部４ａ、縦枠部４ｂ、横枠部４ｃ及び横枠部４ｄが、それぞれ四辺部の各辺部を構成し、縦枠部４ａ、縦枠部４ｂ、横枠部４ｃ及び横枠部４ｄに囲まれた内側が、開口部Ｃとなる。ここで、矩形枠体４の内側（「枠内側」ともいう。）とは、縦枠部４ａ、縦枠部４ｂ、横枠部４ｃ及び横枠部４ｄに対する開口部Ｃ側をいい、矩形枠体４の外側（「枠外側」ともいう。）とは、縦枠部４ａ、縦枠部４ｂ、横枠部４ｃ及び横枠部４ｄに対する開口部Ｃの反対側をいう。
【００２０】
矩形枠体４には、角パイプ状に形成された角パイプ部１１が形成されている。角パイプ部１１は、矩形枠体４の裏面側に配置される裏面側平板部１１ａと、矩形枠体４の表面側に配置されて裏面側平板部１１ａと対向する表面側平板部１１ｂと、矩形枠体４の内側（枠内側）に配置されて裏面側平板部１１ａの一方端縁と表面側平板部１１ｂの一方端縁とに接続される内面側平板部１１ｃと、矩形枠体４の外側（枠外側）に配置されて裏面側平板部１１ａの他方端縁と表面側平板部１１ｂの他方端縁とに接続される外面側平板部１１ｄと、を備えている。
【００２１】
裏面側平板部１１ａ、表面側平板部１１ｂ、内面側平板部１１ｃ及び外面側平板部１１ｄは、それぞれ、矩形枠体４の辺方向に延びる細長い平板状に形成されている。裏面側平板部１１ａ、表面側平板部１１ｂ、内面側平板部１１ｃ及び外面側平板部１１ｄの幅方向中心部には、ビスを打ち易くするために凹ませたビス用凹部１２が形成されている。
【００２２】
また、矩形枠体４には、角パイプ部１１から延びる第一延長部１３、第二延長部１４、第三延長部１５、第四延長部１６、第五延長部１７及び第六延長部１８が形成されている。
【００２３】
第一延長部１３は、裏面側平板部１１ａと内面側平板部１１ｃとが接続される部分又は当該部分近傍から設置面Ａ側に向けて延びる部位である。第一延長部１３の先端縁には、矩形枠体４の内外方向（図４に示す左右方向）に向けてＴ字状に分岐する分岐部２１が形成されている。分岐部２１は、第一延長部１３の先端縁から矩形枠体４の外側（枠外側）に向けて延びる外側分岐部２１ａと、第一延長部１３の先端縁から矩形枠体４の内側（枠内側）に向けて延びる内側分岐部２１ｂと、を備えている。内側分岐部２１ｂには、更に、途中から（先端縁よりも第一延長部１３側の位置から）矩形枠体４の表面側（設置面Ａの反対側）に分岐する第二分岐部２２が形成されている。
【００２４】
第二延長部１４は、裏面側平板部１１ａと外面側平板部１１ｄとが接続される部分又は当該部分近傍から設置面Ａ側に向けて延びる部位である。第二延長部１４の先端縁には、矩形枠体４の内外方向（図４に示す左右方向）に向けてＴ字状に分岐する分岐部２３が形成されている。分岐部２３は、第二延長部１４の先端縁から矩形枠体４の内側（枠内側）に向けて延びる内側分岐部２３ａと、第二延長部１４の先端縁から矩形枠体４の外側（枠外側）に向けて延びる外側分岐部２３ｂと、を備えている。
【００２５】
第三延長部１５は、表面側平板部１１ｂと内面側平板部１１ｃとが接続される部分又は当該部分近傍から表面側（設置面Ａの反対側）に向けて延びる部位である。第三延長部１５の先端縁には、矩形枠体４の内外方向（図４に示す左右方向）に向けてＴ字状に分岐する分岐部２４が形成されている。分岐部２４は、第三延長部１５の先端縁から矩形枠体４の外側（枠外側）に向けて延びる外側分岐部２４ａと、第三延長部１５の先端縁から矩形枠体４の内側（枠内側）に向けて延びる内側分岐部２４ｂと、を備えている。内側分岐部２４ｂには、更に、途中から（先端縁よりも第三延長部１５側の位置から）矩形枠体４の設置面Ａ側に分岐する第二分岐部２５が形成されている。
【００２６】
第四延長部１６は、表面側平板部１１ｂと外面側平板部１１ｄとが接続される部分又は当該部分近傍から表面側（設置面Ａの反対側）に向けて延びる部位である。第四延長部１６の先端縁には、矩形枠体４の内側（枠内側）方向（図４に示す左方向）に向けて延びる屈曲部２６が形成されている。
【００２７】
第五延長部１７は、裏面側平板部１１ａと外面側平板部１１ｄとが接続される部分又は当該部分近傍から矩形枠体４の外側（枠外側）に向けて延びる部位である。第五延長部１７の先端縁には、設置面Ａ側に向けて延びる屈曲部２７が形成されている。
【００２８】
第六延長部１８は、表面側平板部１１ｂと外面側平板部１１ｄとが接続される部分又は当該部分近傍から矩形枠体４の外側（枠外側）に向けて延びる部位である。第六延長部１８の先端縁には、表面側（設置面Ａの反対側）に向けて延びる屈曲部２８が形成されており、屈曲部２８の先端縁には、更に、矩形枠体４の内側（枠内側）に向けて延びる屈曲部２９が形成されている。
【００２９】
分岐部２１及び分岐部２３は、設置面Ａに設置される部位である。このため、分岐部２１と分岐部２３とは、同一平面上に形成されている。
【００３０】
内側分岐部２１ｂ、第二分岐部２２、内側分岐部２４ｂ及び第二分岐部２５は、吸音体２を保持する部位である。つまり、内側分岐部２１ｂ、第二分岐部２２、内側分岐部２４ｂ及び第二分岐部２５に囲まれる空間Ｅに矩形枠体４の内側（枠内側）から吸音体２を挿入することで、各四辺部の第二分岐部２２及び第二分岐部２５により吸音体２の周端面を挟み込むとともに、内側分岐部２１ｂと内側分岐部２４ｂとにより吸音体２の表裏面を挟み込むことが可能になっている。これにより、吸音体２を矩形枠体４の開口部Ｃに保持することが可能となっている。
【００３１】
角パイプ部１１の外面側平板部１１ｄ、第五延長部１７及び第六延長部１８は、矩形枠体４の外周面においてシート固定部材５を挿入するための溝部Ｄを形成する部位である。溝部Ｄは、矩形枠体４の外側面に形成されて、矩形枠体４の辺方向（縦枠部４ａ、縦枠部４ｂ、横枠部４ｃ及び横枠部４ｄの各延在方向）に沿って直線状に窪む溝である。そして、第五延長部１７及び第六延長部１８は、溝部Ｄの側面を形成し、外面側平板部１１ｄは、溝部Ｄの底面を形成する。
【００３２】
屈曲部２７は、目地部材Ｂの側面に当接される部位である。第六延長部１８及び屈曲部２８は、目地部材Ｂの表面側（設置面Ａの反対側）に当接されて目地部材Ｂの一部を表面側（設置面Ａの反対側）から覆う部位である。このため、第六延長部１８及び屈曲部２８は、屈曲部２７よりも矩形枠体４の外側（枠外側）に飛び出している。具体的に説明すると、矩形枠体４の外側面は、屈曲部２７と、角パイプ部１１の外面側平板部１１ｄと、第六延長部１８の先端縁に形成される屈曲部２８と、により形成されており、屈曲部２８は屈曲部２７よりも矩形枠体４の表面側に配置されている。そして、屈曲部２７及び屈曲部２８は、外面側平板部１１ｄよりも矩形枠体４の外側（枠外側）に飛び出しており、更に、屈曲部２８は、屈曲部２７よりも矩形枠体４の外側（枠外側）に飛び出している。
【００３３】
分岐部２４及び屈曲部２６は、矩形枠体４に吸音シート３を張設した際に、矩形枠体４の表面側（設置面Ａの反対側）において吸音シート３と対向される部位である。なお、分岐部２４と屈曲部２６とは、同一平面上に形成されている。
【００３４】
屈曲部２９は、矩形枠体４の外縁部に形成されて、矩形枠体４に吸音シート３を張設した際に、矩形枠体４の表面側（設置面Ａの反対側）において吸音シート３が当接される部位である。屈曲部２９は、最も矩形枠体４の表面側（設置面Ａの反対側）に飛び出している。つまり、屈曲部２９は、分岐部２４及び屈曲部２６よりも矩形枠体４の表面側（設置面Ａの反対側）に飛び出した位置に形成されている。このため、矩形枠体４の表面側（設置面Ａの反対側）では、矩形枠体４の外縁部に形成された屈曲部２９のみが吸音シート３に当接され、屈曲部２９以外の部位（分岐部２４及び屈曲部２６）は吸音シート３に当接されない。
【００３５】
裏面側平板部１１ａ、第一延長部１３、外側分岐部２１ａ、第二延長部１４及び内側分岐部２３ａに囲まれる領域は、軽量化のため肉抜きされている。そして、外側分岐部２１ａ及び内側分岐部２３ａと裏面側平板部１１ａとの間に空間Ｆが形成されているとともに、外側分岐部２１ａの先端と内側分岐部２３ａの先端との間に隙間Ｇが形成されて空間Ｆが設置面Ａ側に開口している。このため、矩形枠体４を設置面Ａに設置する際に、隙間Ｇにビスを通すことで、矩形枠体４を容易に設置面Ａに設置することができる。また、設置面Ａにフックなどの矩形枠体４を掛止するための掛止部材Ｌが固定されている場合は、この掛止部材Ｌを隙間Ｇから空間Ｆに挿入して外側分岐部２１ａ又は内側分岐部２３ａに引っ掛けることで、矩形枠体４を容易に設置面Ａに設置することができる。
【００３６】
表面側平板部１１ｂ、第三延長部１５、外側分岐部２４ａ、第四延長部１６及び屈曲部２６に囲まれる領域は、軽量化のため肉抜きされている。そして、外側分岐部２４ａ及び屈曲部２６と表面側平板部１１ｂとの間に空間Ｈが形成されているとともに、外側分岐部２４ａの先端と屈曲部２６の先端との間に隙間Ｉが形成されて空間Ｈが表面側（設置面Ａの反対側）に開口している。このため、矩形枠体４を設置面Ａに設置する際に、隙間Ｉにビスを通すことで、矩形枠体４を容易に設置面Ａに設置することができる。
【００３７】
内面側平板部１１ｃ、第一延長部１３、内側分岐部２１ｂ、第二分岐部２２、第三延長部１５、内側分岐部２４ｂ及び第二分岐部２５に囲まれる領域は、軽量化のため肉抜きされている。そして、第二分岐部２２及び第二分岐部２５と内面側平板部１１ｃ、第一延長部１３及び第三延長部１５との間に空間Ｊが形成されているとともに、外側分岐部２４ａの先端と屈曲部２６の先端との間に隙間Ｋが形成されて空間Ｊが矩形枠体４の内側（枠内側）に開口している。このため、隙間Ｋにビスを通すことで、内面側平板部１１ｃに対して容易にビスを打つことができる。
【００３８】
第二延長部１４、外側分岐部２３ｂ、第五延長部１７及び屈曲部２７に囲まれる領域は、軽量化のため肉抜きされている。
【００３９】
第四延長部１６、第六延長部１８、屈曲部２８及び屈曲部２９に囲まれる領域は、軽量化のため肉抜きされている。
【００４０】
矩形枠体４の素材は、特に限定されるものではないが、金属や樹脂等とすることができる。この場合、吸音シート３にシャープなエッジを出す観点からは、金属であることが好ましい。矩形枠体４に用いる金属としては、例えば、アルミニウムやステンレスなどを用いることができ、この中でも軽量化の観点からアルミニウムが好ましい。
【００４１】
図５は、シート固定部材を示す斜視図である。図１〜図５に示すように、シート固定部材５は、矩形枠体４の溝部Ｄに挿入されて、矩形枠体４の外側面（外面側平板部１１ｄ）との間に吸音シート３を挟み込むものである。シート固定部材５は、矩形枠体４の辺方向（縦枠部４ａ、縦枠部４ｂ、横枠部４ｃ及び横枠部４ｄの各延在方向）に直線状に延びている。また、シート固定部材５は、断面コ字状（チャンネル状）に形成されており、底板部５ａと、側板部５ｂと、側板部５ｃと、を備えている。
【００４２】
底板部５ａは、溝部Ｄの底面を形成する外面側平板部１１ｄに対向配置される部位であり、細長い平板状に形成されている。
【００４３】
側板部５ｂは、溝部Ｄの側面を形成する第五延長部１７に対向配置される部位であり、底板部５ａの幅方向における一方端縁から垂直に延びる細長い平板状に形成されている。
【００４４】
側板部５ｃは、溝部Ｄの側面を形成する第六延長部１８に対向配置される部位であり、底板部５ａの幅方向における他方端縁から垂直に延びる細長い平板状に形成されている。
【００４５】
次に、図６も参照して、音響パネル１の組み立て方について説明する。図６は、音響パネルの組み立て方を説明するための図である。
【００４６】
まず、図６（ａ）に示すように、縦枠部４ａ、縦枠部４ｂ、横枠部４ｃ及び横枠部４ｄの各空間Ｅ（図４参照）に吸音体２の周縁部を挿入して、縦枠部４ａ、縦枠部４ｂ、横枠部４ｃ及び横枠部４ｄを接続する。これにより、図６（ｂ）に示すように、矩形枠体４の開口部Ｃに吸音体２が保持された状態となる。
【００４７】
次に、図６（ｃ）に示すように、矩形枠体４の表面側に吸音シート３を被せて、吸音シート３の周縁部を矩形枠体４の外側面に回り込ませる。
【００４８】
次に、図６（ｄ）に示すように、吸音シート３に張力をかけた状態で、シート固定部材５を矩形枠体４の溝部Ｄ（図４参照）に挿入する。すると、吸音シート３が、屈曲部２９、屈曲部２８及び第六延長部１８に沿って矩形枠体４の外側面に巻き込まれるとともに、シート固定部材５を回り込むようにシート固定部材５と溝部Ｄとの間に巻き込まれる。そして、この状態で、シート固定部材５を矩形枠体４に固定する。矩形枠体４に対するシート固定部材５の固定は、例えば、ビスをシート固定部材５と矩形枠体４とにねじ込むことにより行うことができる。この場合、シート固定部材５の延在方向において、矩形枠体４に対するシート固定部材５の固定強度が均一になるように、ビスは複数箇所においてねじ込むことが好ましい。これにより、矩形枠体４の表面側（設置面Ａの反対側）に吸音シート３が張設される。
【００４９】
このようにして音響パネル１が組み立てられると、図１、図２及び図４に示すように、設置面Ａに固定された目地部材Ｂの側面に屈曲部２７を当接させて、第六延長部１８及び屈曲部２８により目地部材Ｂの一部を表面側（設置面Ａの反対側）から覆い、設置面Ａに音響パネル１を設置する。
【００５０】
このとき、設置面Ａに掛止部材Ｌが固定されている場合は、この掛止部材Ｌを隙間Ｇから空間Ｆに挿入して外側分岐部２１ａ又は内側分岐部２３ａに引っ掛けることで、矩形枠体４を設置面Ａに設置することができる。
【００５１】
以上説明したように、本実施形態によれば、矩形枠体４の表面側に張設される吸音シート３を、矩形枠体４の辺方向に延在するシート固定部材５により挟み込むため、矩形枠体４の各辺に対して均一な張力で吸音シート３を張設することができる。このため、矩形枠体４に非伸縮性の吸音シート３を張設する場合も、非伸縮性の吸音シート３にシワが発生するのを抑制することができる。
【００５２】
また、矩形枠体４の外側面に形成された溝部Ｄにシート固定部材５を挿入することで、シート固定部材５を高精度に位置決めすることができる。しかも、吸音シート３は、溝部Ｄに挿入されたシート固定部材５を回り込むように挟み込まれるため、吸音シート３の固定強度も向上することができる。
【００５３】
また、矩形枠体４が歪むと、矩形枠体４の角がシートに押し付けられることで、吸音シート３に筋が発生するが、矩形枠体４の表面側において吸音シート３に当接される屈曲部２９を矩形枠体４の外縁部に形成することで、このような筋を目立ちにくくすることができる。
【００５４】
また、矩形枠体４の屈曲部２８を屈曲部２７よりも矩形枠体４の外側に飛び出させることで、音響パネル１を目透し張りする際に、目地部材Ｂの一部を、矩形枠体４の第六延長部１８、屈曲部２８及び屈曲部２９で覆うことができる。これにより、目地の美観を向上させることができる。
【００５５】
また、矩形枠体４を金属製とすることで、矩形枠体４の歪が抑えられるため、吸音シート３にシャープで綺麗な角を出すことができる。
【００５６】
［第２の実施形態］
次に、第２の実施形態について説明する。第２の実施形態は、基本的に第１の実施形態と同様であり、矩形枠体の一部の断面形状のみ第１の実施形態と相違する。このため、以下では、第１の実施形態と相違する事項のみ説明し、第１の実施形態と同様の事項の説明を省略する。
【００５７】
図７は、図２に対応する音響パネルの断面図である。図８は、図４に対応する矩形枠体の断面図である。図８及び図９に示すように、第２の実施形態に係る音響パネル１の矩形枠体４は、第１の実施形態のものよりも全体的に肉厚となっている。
【００５８】
そして、第二延長部１４の先端縁には、第１の実施形態のような分岐部２３（図４参照）ではなく、矩形枠体４の内側（枠内側）に向けて延びる屈曲部４１が形成されている。これに伴い、第五延長部１７は、第１の実施形態のものよりも肉厚となっている。
【００５９】
また、第五延長部１７が、第１の実施形態のものよりも肉厚となることで、屈曲部２７の先端が設置面Ａに設置するものとなっている。
【００６０】
また、第１の実施形態では、第四延長部１６、第六延長部１８、屈曲部２８及び屈曲部２９に囲まれる領域が軽量化のため肉抜きされていたが（図４参照）、第２の実施形態では、この領域Ｚも肉抜きされずに残っており、第四延長部１６と第六延長部１８とが一体化されている。このため、第六延長部１８の先端縁には、表面側（設置面Ａの反対側）に向けて延びる屈曲部４２が形成されている。なお、屈曲部４２は、第１の実施形態の屈曲部２９に対応する部位である。
【００６１】
そして、このように構成される第２の実施形態の音響パネル１は、第１の実施形態と同様に組み立てて設置面Ａに設置することができる。
【００６２】
［第３の実施形態］
次に、第３の実施形態について説明する。第３の実施形態は、基本的に第１の実施形態と同様であり、矩形枠体の断面形状のみ第１の実施形態と相違する。このため、以下では、第１の実施形態と相違する事項のみ説明し、第１の実施形態と同様の事項の説明を省略する。
【００６３】
図９は、図２に対応する音響パネルの断面図である。図１０は、図４に対応する矩形枠体の断面図である。図８及び図９に示すように、第３の実施形態に係る音響パネル１の矩形枠体５０は、設置面Ａに当接される平板状の横板部５１と、横板部５１における枠外側の端縁から表面側（設置面Ａの反対側）に向けて延びる平板状の縦板部５２と、縦板部５２における表面側の端縁から枠内側に向けて延びる平板状の横板部５３と、横板部５３における枠内側の端縁から表面側に向けて延びる平板状の縦板部５４と、縦板部５４における表面側の端縁から枠外側に向けて延びる平板状の横板部５５と、横板部５５における枠外側の端縁から表面側に向けて延びる平板状の縦板部５６と、縦板部５６における表面側の端縁から枠内側に向けて延びる平板状の横板部５７と、を備えている。
【００６４】
横板部５１、縦板部５４及び横板部５７は、吸音体２を保持する部位である。つまり、横板部５１、縦板部５４及び横板部５７に囲まれる空間Ｍに矩形枠体５０の内側（枠内側）から吸音体２を挿入することで、各四辺部の縦板部５４により吸音体２の周端面を挟み込むことが可能になっているとともに、横板部５１と横板部５７とにより吸音体２の表裏面を挟み込むことが可能になっている。これにより、吸音体２を矩形枠体５０の開口部Ｃに保持することが可能となっている。
【００６５】
横板部５３、縦板部５４及び横板部５５は、矩形枠体５０の外周面においてシート固定部材５を挿入するための溝部Ｎを形成する部位である。なお、溝部Ｎは、第１の実施形態の溝部Ｄに対応する。そして、横板部５３及び横板部５５は、溝部Ｎの側面を形成し、縦板部５４は、溝部Ｎの底面を形成する。
【００６６】
縦板部５２は、目地部材Ｂの側面に当接される部位であり、横板部５５及び縦板部５６は、目地部材Ｂの表面側（設置面Ａの反対側）に当接されて目地部材Ｂの一部を表面側（設置面Ａの反対側）から覆う部位である。このため、横板部５５及び縦板部５６は、縦板部５２及び横板部５３よりも矩形枠体５０の外側（枠外側）に飛び出している。
【００６７】
そして、このように構成される第３の実施形態の音響パネル１は、第１の実施形態と同様に、空間Ｍに吸音体２を挿入して矩形枠体５０の開口部に吸音体２を保持し、溝部Ｎにシート固定部材５を挿入して矩形枠体５０の表面側に被せた吸音シート３を矩形枠体５０に固定することで、組み立てることができる。
【００６８】
また、第１の実施形態と同様に、設置面Ａに固定された目地部材Ｂの側面に縦板部５２を当接させるとともに、横板部５５及び縦板部５６により目地部材Ｂの一部を表面側（設置面Ａの反対側）から覆うことで、設置面Ａに音響パネル１を設置することができる。
【００６９】
以上、本発明の好適な実施形態について説明したが、本発明は上記実施形態に限定されるものではない。例えば、上記実施形態では、矩形枠体の具体的な形状について詳しく説明したが、本発明は、上記実施形態のような矩形枠体に限定されるものではなく、適宜変更することができる。
【００７０】
また、上記実施形態では、本発明のパネルを音響パネルに適用したものとして説明したが、本発明は音響パネルに限定されるものではなく、様々なパネルに適用することができる。
【符号の説明】
【００７１】
１…音響パネル、２…吸音体、３…吸音シート、４…矩形枠体、４ａ…縦枠部、４ｂ…縦枠部、４ｃ…横枠部、４ｄ…横枠部、５…シート固定部材、５ａ…底板部、５ｂ…側板部、５ｃ…側板部、１１…角パイプ部、１１ａ…裏面側平板部、１１ｂ…表面側平板部、１１ｃ…内面側平板部、１１ｄ…外面側平板部、１２…ビス用凹部、１３…第一延長部、１４…第二延長部、１５…第三延長部、１６…第四延長部、１７…第五延長部、１８…第六延長部、２１…分岐部、２１ａ…外側分岐部、２１ｂ…内側分岐部、２２…第二分岐部、２３…分岐部、２３ａ…内側分岐部、２３ｂ…外側分岐部、２４…分岐部、２４ａ…外側分岐部、２４ｂ…内側分岐部、２５…第二分岐部、２６…屈曲部、２７…屈曲部、２８…屈曲部、２９…屈曲部（シート当接部）、４１…屈曲部、４２…屈曲部（シート当接部）、５０…矩形枠体、５１…横板部、５２…縦板部、５３…横板部、５４…縦板部、５５…横板部、５６…縦板部、５７…横板部、Ａ…設置面、Ｂ…目地部材、Ｃ…開口部、Ｄ…溝部、Ｎ…溝部。
【図１】
2014201985.tif 000003
【図２】
2014201985.tif 000004
【図３】
2014201985.tif 000005
【図４】
2014201985.tif 000006
【図５】
2014201985.tif 000007
【図６】
2014201985.tif 000008
【図７】
2014201985.tif 000009
【図８】
2014201985.tif 000010
【図９】
2014201985.tif 000011
【図１０】
2014201985.tif 000012